(57)【要約】【課題】従来の電気掃除機において、脱臭フィルタの脱臭効率が小さく臭気の低減が小さいという課題を有していた。【解決手段】電気掃除機に接続することによって、脱臭材収納室２６内の脱臭材３１が脱臭材投入口３６へ投下して、電気掃除機の集塵ボックス３内へ投入され、塵埃と混ぜ合わせることができ、塵埃の臭気を除去し大幅に排気の臭気を低減することができる。また、脱臭材投入口３６部近傍に脱臭材収納室から投下した脱臭材を貯留する構造を有して、吸気流による乱流で集塵ボックス内へ舞い込ませる構成とし、集塵ボックス内の塵埃と満遍なく混合することができ、塵埃の臭気低減効果を向上させることができる。【選択図】図２
2006280841.tif 000002
【特許請求の範囲】
【請求項１】
塵埃を収集する集塵部と電動送風機を備えた電気掃除機において、前記電気掃除機本体の集塵部に通じる吸気通路に連通する脱臭材収納部と、吸気通路への脱臭材投入部を設け、前記脱臭材収納部から前記脱臭材投入部に移送した脱臭材を、前記吸気通路を流れる吸気流によって吸気流路内に流入させることを特徴とする電気掃除機。
【請求項２】
脱臭材収納部から脱臭材投入部に移送した脱臭材を溜める、溜り部を設けたことを特徴とする請求項１記載の電気掃除機。
【請求項３】
脱臭材収納部は、電気掃除機本体の集塵部の上流部に位置すると共に、ホースの掃除機本体側接続部を挿入接続する吸気口の近傍に設けられ、脱臭材投入部は、前記吸気口の内周側面に設けられたことを特徴とする請求項１または２記載の電気掃除機。
【請求項４】
電気掃除機本体の脱臭材投入部は、吸い込み具あるいは吸い込み具を接続するためのホースの電気掃除機本体側接続部を、電気掃除機本体の吸気口に挿着接続する際に開き、抜き外す際に閉じる蓋体を設けたことを特徴とする請求項１〜３のいずれか１項に記載の電気掃除機。
【請求項５】
移動用車輪またはキャスターを有する電気掃除機本体において、前記電気掃除機本体の吸気口を上方に向けて据置き収納する際に、脱臭材投入部に残溜した脱臭材がこぼれでないように吸気口部に障壁を設けた請求項１〜４のいずれか１項に記載の電気掃除機。
【請求項６】
吸い込み具またはホースを電気掃除機本体の吸気口に接続した状態で、脱臭材投入部に残溜した脱臭材のこぼれ落ちを防止する障壁部を、前記吸い込み具またはホースの本体側接続部の先端より集塵部側の位置に、吸気流路に微小に突出して設け、吸気路を流れる吸気流によって集塵部側へ押し圧を受けて開放するように設けた請求項１〜４のいずれか１項に記載の電気掃除機。
【請求項７】
電気掃除機本体に、脱臭材収納部から連通する脱臭材投入部と、集塵部の上流に位置する吸気口と、外気を脱臭材投入部の脱臭材の溜り部に向けて導入する微小径の外気導入通路を設けた請求項２〜６のいずれか１項に記載の電気掃除機。
【発明の詳細な説明】
【技術分野】
【０００１】
本発明は、脱臭材料を用いて吸引した塵埃の臭気を除去し、排気の臭気を低減する電気掃除機用アタッチメントと、前記電気掃除機用アタッチメントを接続した電気掃除機に関するものである。
【背景技術】
【０００２】
従来から電気掃除機の排気脱臭に関しては、排気経路に脱臭フィルタを搭載する構成のものが提案されており、近年では光触媒の酸化作用により脱臭する思想のものが見受けられる（例えば、特許文献１参照）。
【特許文献１】特許第３２３８０５５号公報
【発明の開示】
【発明が解決しようとする課題】
【０００３】
しかしながら、上記の排気経路に脱臭フィルタを搭載する方法では、電気掃除機の吸引量が大きいため、脱臭フィルタと臭気を含む排気空気との接触時間が短くなり、脱臭効率が小さく臭気の低減も小さいという課題を有するものであった。
【０００４】
本発明は、上記の課題を解決するものであり、粉体状の脱臭材を直接集塵部内に投入し、集塵部内の塵埃に満遍なく混合することによって、塵埃の臭気を除去し、排気の臭気を大幅に低減する電気掃除機を提供することを目的としている。
【課題を解決するための手段】
【０００５】
従来の課題を解決するために、本発明は、電気掃除機本体の集塵部より吸気上流部に脱臭材収納部を備え、脱臭材収納部から電気掃除機本体の集塵部内に連通する吸気通路内へ粉体状の脱臭材を投下し、吸引される吸気風によって電気掃除機本体集塵部へ脱臭材を投入される電気掃除機としたものである。
【０００６】
吸引した塵埃に直接、粉体上の脱臭材を投入して塵埃と満遍なく混合することで、強力に塵埃の臭気を除去し、使用時だけでなく静置時にも脱臭するため、集塵部内での臭気の滞留が低減され、次回の掃除機使用時、特に臭気レベルの高い掃除作業の初期時にも、排気臭気の低減を図ることができる。
【発明の効果】
【０００７】
本発明の電気掃除機は、簡便な手段により塵埃の臭気を除去することにより、排気の臭気を大幅に低減する電気掃除機とすることができる。
【発明を実施するための最良の形態】
【０００８】
第１の発明は、塵埃を収集する集塵部と電動送風機を備えた電気掃除機において、前記集塵部より通気上流部に、脱臭材投入部と、前記脱臭材投入部に連通する脱臭材収納部を設け、前記脱臭材収納部に脱臭材が収納され、脱臭材収納部から脱臭材投入部を経て、集塵部に投入される電気掃除機としたものである。この構成により収納部に収納された脱臭材は、重力または掃除機の電動送風機の運転によって生じる吸気流の乱れによって脱臭材投入部へ移動させられ、さらに集塵部に舞い込まれて投入されることになる。このように吸引した塵埃に直接脱臭材が投入されることで、強力に塵埃の臭気を除去し、使用時だけでなく静置時にも脱臭するため、集塵部内での臭気の滞留が低減され、次回の掃除機使用時、特に臭気レベルの高い使用の初期時にも排気臭気の低減を図ることができる。
【０００９】
第２の発明は、塵埃を収集する集塵部と電動送風機を備えた電気掃除機において、前記集塵部より通気上流部に、脱臭材投入部と、前記脱臭材投入部に連通する脱臭材収納部を設け、前記脱臭材収納部に脱臭材が収納され、脱臭材収納部から脱臭材を溜める溜り部を有する脱臭材投入部を経て、集塵部に投入される電気掃除機としたもので、前記脱臭材投入部の溜まり部に溜まった脱臭材を吸気の乱流によって集塵部内へと舞い込ませやすくすることができ効率よく粒状にして連通路内へ投入し、塵埃の臭気を低減することができるものとなる。
【００１０】
第３の発明は、脱臭材収納部は、電気掃除機本体の集塵部の上流部に位置すると共に、ホースの掃除機本体側接続部を挿入接続する吸気口の近傍に設けられ、脱臭材投入部は、前記吸気口の内周側面に設けられたことを特徴とするもので、吸気口から集塵部へ流入する吸気流の乱れによって脱臭材投入部の近傍では圧力変化が生じ、脱臭材を集塵部内へ引き込ませようとする力で脱臭材舞い込み、ごみと混合しやすくし、塵埃の臭気低減効果を向上させるものである。
第４の発明は、電気掃除機本体の脱臭材投入部は、吸い込み具あるいは吸い込み具を接続するためのホースの電気掃除機本体側接続部を、電気掃除機本体の吸気口に挿着接続する際に開き、抜き外す際に閉じる蓋体を設けたもので、前記吸い込み具あるいは吸い込み具を接続するためのホースの電気掃除機本体側接続部を抜き外した状態で脱臭材投入部に溜まっている脱臭材を本体外部にこぼれ落とすことを防止し、使用性を良好にすることができるものである。
【００１１】
第５の発明は、移動用車輪またはキャスターを有する電気掃除機本体において、前記電気掃除機本体の吸気口を上方に向けて据置き収納する際に、脱臭材投入部に残溜した脱臭材がこぼれでないように吸気口部に障壁を設けたもので、前記のように本体を収納状態で集塵部の塵埃を取り除く操作をする際等に、障壁によって集塵部外に脱臭材がこぼれ出ることを防止するとともに、こぼれた脱臭材が電動送風機へ吸引されて、電動送風機の故障発生を防止することができるものである。
【００１２】
第６の発明は、吸い込み具またはホースを電気掃除機本体の吸気口に接続した状態で、脱臭材投入部に残溜した脱臭材のこぼれ落ちを防止する障壁部を、前記吸い込み具またはホースの本体側接続部の先端より集塵部側の位置に、吸気流路に微小に突出して設け、吸気路を流れる吸気流によって集塵部側へ押し圧を受けて開放するように設けたもので、本体の吸気口を上方に向けて据置き収納した状態で、集塵部の塵埃を取り除く操作をする際等に、障壁によって集塵部外に脱臭材がこぼれ出ることを防止するとともに、こぼれた脱臭材が電動送風機へ吸引されて、電動送風機の故障発生を防止することができるものであり、さらに電動送風機を運転して掃除使用している間は、前記障壁部が吸気流によって押し倒されるため、吸い込み性能を発揮するための吸気抵抗ロスをなくすことができるものである。
【００１３】
第７の発明は、電気掃除機本体に、脱臭材収納部から連通する脱臭材投入部と、集塵部の上流に位置する吸気口と、外気を脱臭材投入部の脱臭材の溜り部に向けて導入する微小径の外気導入通路を設けたものであり、溜り部に堆積している脱臭材を前記外気導入通路からの吸気流で舞い上げて分散させ、脱臭材を満遍なく分散させて集塵部内へ吸引させて、塵埃の臭気を低減させることができるものである。
【００１４】
以下、本発明の実施の形態について、図面を参照しながら説明する。なお、本実施の形態によって本発明が限定されるものではない。
【００１５】
（実施の形態１）
本発明の実施の形態１を示す。
【００１６】
図１および図２は、第１の実施の形態における電気掃除機の構成図を示すものである。図１は本体１に接続パイプ５１によりホース５０が接続され、床用吸い込み具７０とホース５０の手持ち部となり、かつ、本体１の電動送風機の運転停止などを制御するスイッチ等を備えた先端パイプ５２との間を延長管６０で着脱自在に接続している。図２は、電気掃除機本体の構成する図であり、本体１の内部には集塵ボックス３および電動送風機４が配置され、また、上流側には集塵ボックス３に集塵されるよう吸引口２を設けており、ここに接続ホースが取り付けられる。また、車輪５により掃除機本体は移動することができる。
【００１７】
本体１の吸気口２の近傍には脱臭材３１を収納する脱臭材収納室２６があり、脱臭材３１は、脱臭材収納室２６の底面側を構成するラス等からなる粗面網３２上を、本体１を移動させたときの慣性によって自由に移動できるようにしている。脱臭材収納室２６は、吸気口２に投入通路３３で通じた構成としている。
【００１８】
集塵ボックス３は、ここでは旋回流により塵埃を分離する遠心分離型のサイクロン掃除機を用いており、その構成を図３により簡単に説明する。
【００１９】
図３は、図２に示す電気掃除機の集塵ボックス３の構成模式図であり、（ａ）は側面図、（ｂ）は正面図である。
【００２０】
図３（ａ）、（ｂ）において、第１のフィルタ２２の下流から電動送風機４により吸引されるが、吸気された塵埃を含む空気は、まず、集塵ボックス３の通気口２１から吸引され、塵埃を含む空気は障壁２３に沿って流れ、ここで空気は第１のフィルタ２２を介して電動送風機４に吸引されるが、塵埃は遠心力によりさらに旋回し最終的に第２のフィルタ２４により塵埃が濾しとられ、ほとんどの塵埃は集塵部２５に滞留する。図中に示した実線矢印は塵埃の流れを示し、破線矢印は気流の流れを示している。このように、ここでは旋回流により塵埃を分離する遠心分離型のサイクロン掃除機を用いている。
【００２１】
脱臭材３１は平均粒径２０マイクロメートルの粉末状活性炭をコロイダルシリカをバインダーとして、図４に示すように略直方形状に固めたものであり、脱臭材収納室２６の中で、粗面網３２上を矢印に示すように自由にすべり移動できるものである。この時、脱臭材３１が粗面網３２上をすべることによる摩耗で粒状化することができるものである。また、脱臭材３１の形状は、多角形状による構成も可能である。また、脱臭材収納部２６内の少なくとも一側面部に突起形状等を形成すると、前記突起形状形成面に脱臭材３１が衝突する際に破壊されて粒状化することができる。しかしこの場合、脱臭材３１と脱臭材収納室２６の隙間の大きさによっては脱臭材３１の移動慣性がつきすぎて、大きく破壊する可能性があるので、脱臭材３１と脱臭材収納室２６の隙間寸法を適切に確保することが条件となるものである。
【００２２】
以上は、脱臭材３１が固形化した場合の構成であるが、脱臭材を粉体のまま脱臭材収納室２６内に封入しておき、本体１の移動による振動によって投入通路３３へ落下させる構成とすることも可能である。この場合、粗面網３２の形状を密にして、脱臭材３１が固形の場合より落下しにくいように構成することが条件となる。
【００２３】
また、図５は脱臭材収納室２６および吸気口２周囲の構成要部のみを示す図である。固形の脱臭材３１が粗面網３２上をすべることによる摩耗で粒状化されると、粗面網３２の網目を通って、吸気口２に通じる投入通路３３側に落下し、吸気口２に設けた脱臭材投入口３６から吸気口２に投入されて集塵ボックス３内へと吸入されることになる。
【００２４】
次に、また別の脱臭材を投入する構成について説明する。図６は電気掃除機の本体１の集塵ボックスを取り外し、部分断面にして内部構造を露出させた斜視図であり、給電するための電源コードを収納する時に本体１内にバネの復元力を利用して巻き取るコードリール１０４を有している。図７がコードリール１０４の断面構造図で、１０３は電動送風機４を収納した電動送風機室１０１とコードリール側を仕切る隔壁であり、隔壁１０３に軸１０４ｄでコードリール１０４が回転自在に軸支されている。コードリール１０４は、電源コード１２０を巻き付けるドラム部１０４ｂと、電源コード１２０を巻き付ける方向に付勢するバネ材１０４ｃから構成されている。図６において、電源コードの引き出し操作による脱臭材収納部２６の脱臭材を粒状化するための動作伝達構成を示すもので、コードリール１０４の一方のフランジ部１０４ａの外周面にギヤが円環状に形成され、ギヤーＡ１０６、ギヤーＢ１０７を介してワイヤー１０９の端部を摺動回転自在に保持したフランジ１０８を回転するようにしている。
【００２５】
次に、図８は脱臭材収納室２６の構成を示す図であり、脱臭材３１は収納箱２６ａに収納され、収納箱２６ａ上方には脱臭材３１を付勢するための弁２６ｅがねじりバネ２６ｆで付勢されて蓋体２６ｃに回動自在に軸が保持されている。また蓋体２６ｃは収納箱２６ａに開閉自在に軸固定されている。収納箱２６ａ下方には脱臭材３１を粒状化するための粗面網３２を保持固定した摺動板３２ａと受台２６ｄ、押え枠２６ｂおよび粗面網３２を往復動作させるためのバネ１０９ｄで付勢されたワイヤー１０９の端部が固定されて設けられている。ワイヤー１０９はアウター１０９ａの内面にインナーワイヤー１０９ｂが摺動自在に配設されている。また、インナーワイヤー１０９ｂの先端には摺動板３２ａにはめ込み固定する凸部１０９ｅが設けられている。受台２６ｄの下方には脱臭材投入口３６と連通する投入通路３３が設けられている。
【００２６】
上記構成による作用は以下の通りである。
【００２７】
電源コード１０２の引き出し動作に応じてコードリール１０４のフランジ部１０４ａが回転すると、その回転力が、ギヤーＡ１０６、ギヤーＢ１０７を介してフランジ１０８を回転させる。ここでフランジ１０８のインナーワイヤー１０９ｂを摺動回転自在に保持している軸部は、フランジ１０８の中心から偏心させているので、フランジ１０８が回転すると、インナーワイヤー１０９ｂが引っ張られたり、緩められたりする。これにより、図９に示すインナーワイヤー１０９ｂが引っ張られると、摺動板３２ａにインナーワイヤー１０９ｂの端部に設けた凸部１０９ｅがはめ込み固定されているため、摺動板３２ａが移動させられる。さらに、インナーワイヤー１０９ｂが緩められると、バネ１０９ｄで摺動板３２ａが押し戻される。この連続動作によって、脱臭材３１が粗面網３２によって摩耗されて粒状化することができる。粒状化された脱臭材３１ａは吸気口２の略中心より下側面部に設けた脱臭材投入口３６に落下し、接続パイプ５１の外周面に降りかかることなく貯留される。そこで、電動送風機を運転し、吸気口に吸気流が生じると、ホースの螺旋形状や、接続パイプと吸気口の接続部分の凹凸形状によって乱気流が発生し、脱臭材投入口３６の貯留している脱臭材３１ａが吸気口内へ引き込まれ、集塵ボックス内へと吸引される。
【００２８】
以上の構成の電気掃除機を用いて、本発明の効果を調べる。
【００２９】
上記の掃除機を用いて実部屋の掃除を１５分間行った。対照実験として脱臭材なしでも実部屋の掃除を１５分間行なった。排気臭気に気をつけながら、この掃除実験を１０日間続けた。結果は対照実験のものは５日目くらいから排気の臭気が気になったが、本実施例のものは１０日目の終了時までほとんど気にならなかった。
【００３０】
掃除機に吸引された塵埃量を比べてみたところ、１０日間の掃除で、本実施の形態も対照実験も、どちらもほぼ３０ｇ吸引していた。また本実施の形態の掃除機に設置した脱臭材３１は１．２ｇ減量していた。よって、１日あたり平均３ｇの塵埃を吸引し、０．１２ｇの脱臭材が投入されたことになる。
【００３１】
このとき、吸引により収集された塵埃を観察したところ、脱臭材３１が粉体として塵埃にまとわりつき、また塵埃と混合されていることが確認された。これは、掃除機本体を移動、吸引させる毎に、球形状の脱臭材３１が設置部２６の内部を転がりまた振動し、金網で作製された底部と接触することで磨耗し、脱臭材が粉体として投入され、吸引した塵埃と接触、混合されているものである。
【００３２】
次に、塵埃を３０ｇ吸引したこの状態で１日静置した後、１ｍ3の密閉チャンバ内に掃除機をセットし３０秒間運転させた。チャンバ内に排気された臭気をパネル６名で実際ににおいをかぎ官能評価した。結果は、本実施の形態は平均の臭気強度が１．８であったのに対して、対照実験は３．０であり、大幅な臭気の低減効果が確認された。
【００３３】
臭気強度２がにおいの認知閾値であることを考慮に入れると、臭気強度１．８はにおいとしては検知できても何のにおいかわからないレベルで、高いレベルで臭気の低減ができていることがわかる。
【００３４】
図１０は、吸気口２の内周部に軟質のゴム等からなるタイトパッキン８０を設けており、接続パイプ５１の外周、吸気口２の内周面、集塵ボックス３の吸い込み口との気密性を確保している。
【００３５】
以上から、本実施の形態のように、吸引した塵埃に直接脱臭材を投入することで、強力に塵埃の臭気を除去し、使用時だけでなく、静置時にも脱臭するため集塵部内での臭気の滞留が低減し、特に臭気レベルの高い掃除機使用初期時にも排気臭気の低減を図ることができる。また、脱臭材の磨耗を利用した投入とすることにより、簡単な構成でコンパクトなものとすることができる。
【００３６】
なお、本実施の形態では脱臭材として活性炭を使用したが、活性炭以外にも、シリカ、アルミナ、ゼオライトなどでも、掃除塵埃のような複合臭気を低減させ、同様の効果があるものである。
【００３７】
吸気口２の略中心より下側面部に脱臭材投入口３６を設けることにより、接続パイプ５１の外周面に直接降りかかることがないので、接続パイプ５１を吸気口２から取り外す場合に、接続パイプに脱臭材が付着して本体外にこぼして、床面等を汚すことの心配がなくなるものである。
【００３８】
（実施の形態２）
次に、本発明の第２の実施の形態を示す。
【００３９】
図１１は、タイトパッキン８０の内周側に、障壁部８０ａを形成しており、障壁部内径８５は接続パイプ５１の内径と同等で、かつ、接続パイプ５１の内径よりも大きく設定している。前記のように接続パイプ５１の内径より大きく設定することで、電気掃除機の吸い込み性能の低下を生じることはない。
【００４０】
これによれば、図１２に示すように、本体１を床に立てた状態で、集塵ボックス内のごみを捨てるために集塵ボックスを本体１から取り出した場合に、本体１の集塵ボックス収納部内に、吸気口内に残留している脱臭材がこぼれて、汚すことを防ぐことが、さらには、こぼれた脱臭材を電動送風機内に吸引して、電動送風機の寿命を短くすることを防止することができるものである。
【００４１】
（実施の形態３）
次に、本発明の第３の実施の形態を示す。
【００４２】
図１３（ａ）に示すように、ゴム等からなる軟質のタイトパッキン８０の脱臭材投入口に軸部３６ｂで蓋３６ａが形成されている。図１３（ｂ）に示すように、接続パイプ５１を吸気口２に差し込むと、図１４に示す蓋３６ａの凸部３６ｃに当接し、軸部３６ｂで回動して、脱臭材投入口を開放することができる。
【００４３】
これによれば、接続パイプ５１を吸気口２から取り外した状態で、本体１を持ち運ぶ際に、脱臭材投入口３６の貯留部分から本体外に脱臭材がこぼれ落ち、屋内や衣服に付着し汚すことを防止することができるものである。
【００４４】
（実施の形態４）
次に、本発明の第４の実施の形態を示す。
【００４５】
図１５（ａ）に示すように、タイトパッキン８０の内周下部側に、付け根を薄くして可倒性もたせた可倒障壁部８０ｂの先端を、接続パイプの内径より小さくなる位置まで形成している。電動送風機を運転すると、図１５（ｂ）に示すように、吸気によって可倒障壁部は吸気風によって集塵ボックス３側へ倒れて、ごみが引っかかることをなくし、また電気掃除機の通気抵抗の影響による吸い込み性能の低下を生じることはない。
【００４６】
これによれば、図１２に示すように、本体１を床に立てた状態で、集塵ボックス内のごみを捨てるために集塵ボックスを本体１から取り出した場合に、本体１の集塵ボックス収納部内に、吸気口内に残留している脱臭材がこぼれて、汚すことを防ぐことができ、さらには、こぼれた脱臭材を電動送風機内に吸引して、電動送風機の寿命を短くすることを防止することもできるものである。また、タイトパッキンをゴム等で成形によって製造する場合に可倒障壁部が成形金型に対してアンダーカットとなるが、可倒する柔軟性があるため、離型が容易となり、生産性向上に効果を発揮することも可能となる。
【００４７】
（実施の形態５）
次に、本発明の第５の実施の形態を示す。
【００４８】
図１６に示すように、投入通路３３の一部に、脱臭材投入口３６の脱臭材が貯留する部位にむけた内径が１ｍｍ以下の吸気導入通路３３ａを設けている。
【００４９】
これによれば、吸気導入通路３３ａから流入した吸気３４ａが、粒状化して貯留している脱臭材３１ａに吹き付けられて、吹き飛ばし、脱臭材投入口３６から、吸気口２内へ確実に導入することができる。そして、脱臭材投入口３６近傍等に残留した脱臭材が本体１の外へこぼれて、屋内や衣服を汚す要因を排除できる。また、吹き飛ばし効果によって脱臭材を集塵ボックス内へと舞い込ませ、ごみに満遍なく混ぜて、脱臭効果もより効果的に発揮することが可能となる。
【産業上の利用可能性】
【００５０】
以上のように、本発明にかかる電気掃除機は、簡便な手段により塵埃の臭気を除去し、大幅に排気の臭気を低減する電気掃除機とすることができるため、家庭用のほか、業務用途にも適用できる。
【図面の簡単な説明】
【００５１】
【図１】本発明の実施の形態１における電気掃除機全体の構成図
【図２】同電気掃除機本体の構成を示す縦断面図
【図３】（ａ）同集塵ボックスの側面構成模式図（ｂ）同集塵ボックスの正面構成模式図
【図４】同脱臭材収納室内の脱臭材の動きを示す図
【図５】同脱臭材収納室内周辺の構成断面図
【図６】本発明の実施の形態1における別の構成を示す本体の部分断面図
【図７】同コードリール機構を示す断面図
【図８】同脱臭材収納室の分解構成図
【図９】同脱臭材収納室の横断面図
【図１０】本発明の実施の形態1における別の構成を示す脱臭材収納室周辺の構成断面図
【図１１】本発明の実施の形態２における脱臭材収納室周辺の構成断面図
【図１２】同電気掃除機本体の収納状態を示す外観図
【図１３】（ａ）本発明の実施の形態３における脱臭材収納室周辺の構成断面図（ｂ）同脱臭材収納室周辺の接続パイプ装着時の構成断面図
【図１４】同脱臭材収納室の横断面図
【図１５】（ａ）本発明の実施の形態４における脱臭材収納室周辺の構成断面図（ｂ）同脱臭材収納室周辺の接続パイプ装着および電動送風機運転時の構成断面図
【図１６】本発明の実施の形態５における同脱臭材収納室の横断面図
【符号の説明】
【００５２】
１  本体
３  集塵ボックス
２６  脱臭材収納室
３１  脱臭材
３２  粗面網
３６  脱臭材投入口
【図１】
2006280841.tif 000003
【図２】
2006280841.tif 000004
【図３】
2006280841.tif 000005
【図４】
2006280841.tif 000006
【図５】
2006280841.tif 000007
【図６】
2006280841.tif 000008
【図７】
2006280841.tif 000009
【図８】
2006280841.tif 000010
【図９】
2006280841.tif 000011
【図１０】
2006280841.tif 000012
【図１１】
2006280841.tif 000013
【図１２】
2006280841.tif 000014
【図１３】
2006280841.tif 000015
【図１４】
2006280841.tif 000016
【図１５】
2006280841.tif 000017
【図１６】
2006280841.tif 000018